Podtech/llm-jp-corpus-v4-ja_patent huggingface dataset:
(57)【要約】      （修正有）【課題】内部に保冷剤を収納したマスクにおいて、保冷剤による重量増のために、耳への負担やマスクのずれ落ち等の装着時の不具合を解消する帽子付きマスクを提供する。【解決手段】裏面側に並列して形成された２つの袋状のポケット部５と、一対の伸縮性の輪状の装着ひも２とを備えたマスク６と、装着ひもを係止するための係止部３を後部に備えた帽子１とからなり、ポケット部には保冷剤８を収容する。【選択図】図２
0003228343.tif 000002
【実用新案登録請求の範囲】
【請求項１】
裏面側に並列して形成された２つの袋状のポケット部と、一対の伸縮性の輪状の装着ひもとを備えたマスクと、前記装着ひもを係止するための係止部を後部に備えた帽子とからなることを特徴とする帽子付きマスク。
【請求項２】
前記ポケット部には保冷剤を収容することを特徴とする請求項１に記載の帽子付きマスク。
【考案の詳細な説明】
【技術分野】
【０００１】本考案は、ウィルス感染等を防止するマスクに関わり、特に夏場の使用における快適性を備えたマスクに関する。
【背景技術】
【０００２】本件出願人は、かねてより、使い捨て保冷剤の活用を取り入れ、熱中症予防対策グッズを製造販売している。
２００５年の実用新案３１１４０１６号により製作した保冷剤成形型を使って体の部位（頸部や頭部）を効率的にひんやりさせるグッズを販売してきた。
今年は新型コロナウィルス感染対策としてマスク着用の夏となった。
本考案を利用した保冷剤入り帽子付きマスクについて、既に他社が市販している保冷剤入りマスクと比較してみたところ、他社製品は保冷剤の自重により耳が痛くなったり、短時間で保冷効果が薄れたりして、不便な点も多々あった。
【先行技術文献】
【特許文献】
【０００３】
【特許文献１】実開平６−６１９３０
【考案の概要】
【考案が解決しようとする課題】
【０００４】昨今の新型コロナウィルスの影響により野外でマスクをする機会が増えた。暑くなり熱中症予防のため保冷剤の付いたマスクも販売されている。
保冷剤の付いたマスクを装着すると、保冷剤の自重でマスク自体が重くなるため、耳がゴム紐で痛くなるとともに、マスクもずれ落ちる。
現在販売されている保冷剤の付いたマスクは、保冷剤の重量が１０ｇ〜２０ｇであるため、直ぐに保冷効果が薄れてしまう。家庭で死蔵している保冷剤は３０ｇ〜４０ｇが多いので、これらを利用できれば、有効利用が図れる。
【課題を解決するための手段】
【０００５】上記課題を解決するために、本考案の帽子付きマスクは、裏面側に並列して形成された２つの袋状のポケット部と、一対の伸縮性の輪状の装着ひもとを備えたマスクと、前記装着ひもを係止するための係止部材を後部に備えた帽子とからなることを特徴とする。さらに、前記ポケット部には保冷剤を収容することを特徴とする。
【考案の効果】
【０００６】上記手段によれば、３０ｇ〜４０ｇの重量のある保冷剤をポケット部に入れたマスクを保持するのは、従来のマスクのように耳ではなく、帽子の後部に設けた係止部に、マスクの装着ひもを係止させて行うので、耳への負担は解消され、耳が痛くなることがなくなる。また、頭にかぶることにより、頭に固定された帽子にマスクが係止されることにより、ある程度重量のあるマスクでもずれ落ちることはなくなる。
さらに、野外でも、帽子をかぶり、保冷剤の付いたマスクをすることにより、熱中症対策がなされ身の安全を図る手助けが出来る。また、新型コロナウィルス感染の期間が過ぎても、顔の日焼け防止にも役立つ。また、死蔵品の３０ｇ〜４０ｇの重量の保冷剤を有効に使うことが出来、今までの市販品よりひんやりする時間も長くなる。又、マスクにより帽子が風で飛ばされるのを防ぐことが出来る。
【図面の簡単な説明】
【０００７】
【図１】本考案の帽子付きマスクを着用した状態を後頭部側から見た図である。
【図２】本考案の帽子付きマスクを着用した状態を耳側から見た図である。
【図３】本考案の帽子付きマスクのマスク部分の内面側を示す図である。
【実施例】
【０００８】以下に本考案の帽子付きマスクを具現化した一実施例として、図１、図２及び図３をもとに説明する。
図１は、本考案の帽子付きマスクを着用した状態を後頭部側から見た図である。
図１において、マスクの左右の装着ひも２を留めるための係止部材３が２個帽子１の後ろ側に取り付けられている。係止部３は左右それぞれの装着ひも２の脱着がスムーズに行える様に２個施した。尚、図１に開示したような係止部材が無い時は、市販の安全ピン４でも代用出来る。【０００９】図２は、本考案の帽子付きマスクを着用した状態を耳側から見た図である。
図２において、マスク６は一般のマスクよりも横に長く作られており、マスク内側の布が鼻や口に接する部分には空間があるように縫製されている。５はマスクの内側に施されたポケットで、保温シート７に包まれた保冷剤８が収納されている。【００１０】図３は、本考案の帽子付きマスクのマスク部分の内面側を示す図である。
図３の本実施例において、３０〜４０ｇの保冷剤８をマスク６内側のポケット５に直接挿入すると、使用開始直後は冷た過ぎるので、それをコントロールし、尚且つひんやりする時間を長く保つために、保温シート７でサンドイッチ状に保冷剤８を包んでポケット５に挿入した。保温シート７は保冷剤８の約２倍の大きさが必要である。保冷剤は成形冷凍出来る型で凍らせた保冷剤が望ましい。又は、凍らせても固まらず、やわらかく、湾曲した部分にもフィットし、不凍液、ゲル化剤が入っている保冷剤でも良い。
【符号の説明】
【００１１】  １・・・帽子
２・・・装着ひも
３・・・係止部材
４・・・安全ピン（係止部材の代用品）
５・・・ポケット
６・・・マスク
７・・・保温シート
８・・・保冷剤
【図１】
0003228343.tif 000003
【図２】
0003228343.tif 000004
【図３】
0003228343.tif 000005
(57)【要約】      （修正有）【課題】水路の幅の影響を受け難く、河川工事が不要で、回転トルクが大きく、効率よく低落差流水エネルギーを機械エネルギーに変換でき、不純物の影響を受け難く、時間帯を問わずに常に安定した回転が得られ、ビジネス電力供給も可能な小水力発電装置を提供する。【解決手段】小水力発電装置は、用水路または河川にコンベア水車を固定する固定架台１と、下部の両端と中心の上端部に二等辺三角形のように設置される回転ローラー２、３、４と、三つの回転ローラーを取り囲んで回転するベルトコンベア５と、ベルトコンベア５の表面に複数枚取り付けられた水受け板６を有し、水受け板６は、ベルトコンベア５の表面の片方だけに開閉可能であり、直角以上には開かないよう固定され、水の流れに向かって力を受けるように設置され、水受け板６で受けた力で、コンベア５を回転させ発電に繋ぐ。【選択図】図１
0003228396.tif 000002
【実用新案登録請求の範囲】
【請求項１】
用水路または河川にコンベア水車を固定するための固定架台を設け、下部の両端と中心の上端部に二等辺三角形のようにそれぞれ回転ローラーを設け、その三つのローラーを取り囲んで回転できるようにベルトコンベアを設置し、そのベルトコンベアの表面に片方だけに開閉可能な水受け板を複数枚取り付け、その水受け板は直角以上には開かないように固定し、水の流れに向かって力を受けるように設置し、その受けた力で水の流れるエネルギーを機械的エネルギーに変換させ、コンベアを回転させ発電に繋ぐ小水力発電装置。
【考案の詳細な説明】
【技術分野】
【０００１】      本考案は水路、または河川の水の流れるエネルギーをコンベア水車で回転エネルギーに変換させ、発電に繋ぐものである。
【背景技術】
【０００２】      水力発電と言えばまず目に浮かぶのは大きいなダムとそのダムによって生じる水の位置エネルギーを利用した発電所になるだろう。
二酸化炭素を排出しない水力発電はクリーンエネルギーとして世界中で人気があるが、ダムを利用した場合それなりの地理的位置環境や充分な水の量と大掛かりな土木工事などが必要である。
そこで最近注目されるのが低落差水路を利用した発電システムである。
流水は大きいなエネルギーを育んでおり設備利用率も太陽光、風力に比べたらかなり高いものと言われている。
本考案は用水路、河川などの水の流れるエネルギーを充分に利用することによって小水力発電に繋ぐことを目指したものである。
【先行技術文献】
【特許文献】
【特許文献１】特開２０１９−１７３５９７
【特許文献２】特開２０１０−０９６０４３
【考案の概要】
【考案が解決しようとする課題】
【０００３】    用水路または河川を利用した発電は昔からあったものの規模が小さく、採算性が厳しく、維持管理に手間がかかるなどの理由により、ビジネスとしての普及は“いまいち”の状態である。
今までの低落差発電は従来の水車のようなものが多く、設置するのに用水路を跨いで固定するか、あるいは河川工事をして一定の傾斜をつけて固定（螺旋型）したりするのが一般的である。そのため、幅が広い河川などには設置しにくく、利用率も低い。
【課題を解決するための手段】
【０００４】    本考案は固定架台を直接水流の中に設置するため水路の幅の影響を受け難く、河川工事も要らない。水の流れをそのまま複数の受け板で受け止め通常の水車より長い直線運動でコンベアを動かすため回転トルクが大きく、効率よく低落差流水エネルギーを機械エネルギーに変換させることができる。
また、回転トルクが大きいため不純物の影響を受け難く時間帯を問わずに常に安定した回転が得られ、ビジネス電力供給にも繋ぐことが可能になる。
【考案の効果】
【０００５】    用水路、河川など低落差で水が流れる所だったらどこでも設置可能な装置であり、季節、昼夜、風などの影響が少なく、常に低コストで効率よく電力の供給を可能にする。
【図面の簡単な説明】
【０００６】
【図１】本考案のコンベア水車の発電装置の正面図である。
【図２】コンベア水車の斜視図である。
【図３】複数のコンベア水車を連結した状態のイメージ図である。
【考案を実施するための形態】
【０００７】    以下、本考案の発電システムを図に示した実施形態に基づいて説明する。
【０００８】    図１は本考案の発電のための単独の動力装置のイメージ図である。
まず河川または用水路に固定架台（１）を設置する。その固定架台の下部両端に回転ローラー（２）と（３）を取り付ける。真ん中の垂直固定サポートの上端部に回転ローラー（４）を固定し、そのローラー（４）は常に水面より上の位置に出る高さにする。
【０００９】    ベルトコンベア（５）の表面に複数の受け板（６）を固定し回転ローラー（２）、（３）、（４）を取り囲んで回転できるように設置する。コンベアが回転するとき表面に取り付けた受け板（６）はローラー（２）を通る時に水流によって順次に展開する（コンベアに対して開き角度が９０度超えないようにする）。
【００１０】      水受け板の力によってコンベア全体が回転し、三つのローラーも同時に回転する。
上部回転ローラー（４）に同軸歯車（７）を設置し発電機に繋いで発電する。
【実施例】
【００１１】    図１のように水の流れが回転ローラー（２）から（３）の方向に流れる時、ベルトコンベアに取り付けた受け板はそれぞれ展開状態になり、水の流れる力を該同方向に推進する機械力に転換しコンベアを（２）から（３）の方向に動かす。その時、コンベアがローラーを回転させる回転力はそれぞれ（２）と（３）の間で展開した受け板の推進力の合計に近いものになる。【００１２】  上記で得られた回転エネルギーを発電タービンに繋いて発電したらその発電効率は従来の水車よりかなりの高いものになると思う。【００１３】    本考案の設備の大きいさと規模は状況によって変化可能であり、水流の深さと河川の幅などにより臨機応変でサイズ変更も可能である。また場合によっては複数台をローラーチェーンなどで連結した状態で（図３参照）さらに大きい力で発電することも可能である。
【産業上の利用可能性】
【００１４】      本考案の設備はシンプルで設置し易く、回転力が大きいため季節、昼夜、落差の影響を受け難く、常に安定したエネルギー供給が可能にする。
【符号の説明】
【００１５】      （１）固定架台
（２）回転ローラー
（３）回転ローラー
（４）上部回転ローラー
（５）ベルトコンベア
（６）受け板
（７）歯車
【図１】
0003228396.tif 000003
【図２】
0003228396.tif 000004
【図３】
0003228396.tif 000005
(57)【要約】      （修正有）【課題】加熱、発酵醸成された黒ニンニクは、製造過程で生ニンニク特有の臭気と辛みはほぼ消滅するが、二酸化硫黄等の硫化ガスが生成されることで特有の臭いが残存し食べにくいという課題と、食べすぎると下痢したり病気を悪化させるという課題を解決する黒ニンニク丸餅、黒ニンニク棒餅又は黒ニンニク切餅を提供する。【解決手段】モチ米を蒸して発酵熟成黒ニンニクをモチ米に対して３〜４０％加えて搗いて、黒ニンニク丸餅１、黒ニンニク棒餅２又は黒ニンニク切餅３とする。【選択図】図２
0003228395.tif 000002
【実用新案登録請求の範囲】
【請求項１】
発酵熟成黒ニンニクを３〜３０％加えて搗いた黒ニンニク餅
【請求項２】
砂糖、しょうゆ、みそ、エゴマ、ゴマ、くるみ、ピーナッツ、ナッツ、しそ、セージ、タイム、ペパーミント、レモン、バジル、ブルーベリー、ブラックペッパー、ホワイトペッパーのハーブ類、抹茶、シイタケ茶、コンブ茶、コーヒー、紅茶、グァバ茶、アロエ茶、ウコン茶、サフラン茶などの茶類の中から選ばれた１種類あるいは多種類を加えて搗くかあるいは搗いた後に外側にまぶした請求項１記載の黒ニンニク餅
【考案の詳細な説明】
【技術分野】
【０００１】
本考案は、発酵熟成黒ニンニクを加えて搗く黒ニンニク餅に関する。
【背景技術】
【０００２】
ニンニクは、優れた栄養、薬効を持った食品として殺菌、整腸、脚気、強壮に大切な効果があると古くから認められている。
【０００３】
ニンニクを加熱、発酵、熟成させた黒ニンニクは、生ニンニク特有の強い刺激のある不快な臭いを無くし、ピリピリした辛さを甘味に変えて食べやすくなると共に、有効成分は何倍にも増加させた食品として製造技術は公表され、公知の技術となっている。
【先行技術文献】
【特許文献】
【０００４】
実願平４−６５０９６
【考案の開示】
【考案が解決しようとする課題】
【０００５】
黒ニンニクは、製造過程で生ニンニク特有の臭気と辛みはほぼ消滅するが、発酵過程で二酸化硫黄等の硫化ガスが生成されることで、黒ニンニクとなった時に特有の臭いが残存し食べにくいという課題があり、また食べすぎると下痢をしたり病気を悪化させるという課題がある。
【課題を解決するための手段】
【０００６】
黒ニンニクを練りこんで搗いて餅にすることで、蒸した米の熱によって混入される黒ニンニクの臭いが減少して、搗き上がった後餅が冷えた時にほぼ消滅することで食べやすくなり、丸餅、団子、切り餅にすることでそれぞれ１個当たりの黒ニンニクの含有量が一定となり、過剰摂取による下痢や病気の悪化を防ぐ方法で課題を解決する。
【０００７】
さらに、請求項２であげた調味料、ハーブ類、茶類を加えて搗くことや、外側表面にまぶすことでより食べやすくする方法で課題を解決する。
【考案の効果】
【０００８】
発酵黒ニンニクを練りこんで搗いて餅にする時の熱によって黒ニンニクの臭いが減少して、餅が冷えた時にほぼ消滅して食べやすくする効果がある。丸餅、団子、切り餅にすることで１個当たりの黒ニンニクの含有量を一定に保つことが可能となり、過剰摂取による下痢や病気の悪化を防ぐ効果がある。
【考案を実施するための最良の形態】
【０００９】
黒ニンニクの一食当たりの摂取量は一株当たり６片の１片（４〜６ｇ）が適量とされているので、餅米１．４ｋｇ（１升）に対して３００ｇの黒ニンニクをすりつぶして混入し、さらにいりごま１００ｇ、すりごま１００ｇ、黒糖２００ｇを加えて搗き、のし餅にして６０ｃｍ×６０ｃｍ厚さ１ｃｍの大きさののし餅として１個を６４分の１の大きさに切り餅とすると、餅１個に黒ニンニクの１片が含まれる大きさの黒ニンニク餅とすることができる。
【図面の簡単な説明】
【００１０】
【図１】黒ニンニク餅の製造工程
【図２】黒ニンニク餅の種類
【符号の説明】
【００１１】
１    黒ニンニク餅（丸餅）
２    黒ニンニク餅（団子）
３    黒ニンニク餅（切り餅）
【図１】
0003228395.tif 000003
【図２】
0003228395.tif 000004
【手続補正書】
【提出日】令和2年4月28日(2020.4.28)
【手続補正１】
【補正対象書類名】実用新案登録請求の範囲
【補正対象項目名】請求項１
【補正方法】変更
【補正の内容】
【請求項１】
モチ米を蒸して発酵熟成黒ニンニクをモチ米に対して３〜４０％加えて搗いた黒ニンニク丸餅、黒ニンニク棒餅又は黒ニンニク切餅
【手続補正２】
【補正対象書類名】実用新案登録請求の範囲
【補正対象項目名】請求項２
【補正方法】変更
【補正の内容】
【請求項２】
小豆、大豆、粟、ひえ、よもぎ、セージ、タイム、ペパーミント、レモンバジル、ブルーベリー、ブラックペッパー、ホワイトペッパー、唐辛子、干しぶどう、抹茶、砂糖、しょうゆ、みそ、きなこ、ゴマ、くるみ、ピーナッツ、ショウガ、栗の中から選ばれた１種類あるいは多種類を加えて搗くか、搗いた後に外側にまぶした請求項１記載の黒ニンニク丸餅、黒ニンニク棒餅又は黒ニンニク切餅
【手続補正３】
【補正対象書類名】明細書
【補正対象項目名】０００８
【補正方法】変更
【補正の内容】
【０００８】発酵黒ニンニクを練りこんで搗いて餅にする時の熱によって黒ニンニクの臭いが減少して、餅が冷えた時にほぼ消滅して食べやすくなる効果があり、丸餅、棒餅又は切餅にすることで一個当たりの黒ニンニクの含有量を一定に保つことが可能となり、過剰摂取による下痢や病気の悪化を防ぎ毎日一定量の摂食を可能にする。
【手続補正４】
【補正対象書類名】明細書
【補正対象項目名】０００９
【補正方法】変更
【補正の内容】
【０００９】黒ニンニクの一食当たりの摂取量は黒ニンニク一株の一片（４〜６ｇ）が適量とされているので、餅米１．４ｋｇ（一升）に対して３００ｇの黒ニンニクをすりつぶして混入し、さらに味噌５０ｇ、いりごま５０ｇ、すりごま５０ｇ、くるみ２００ｇを加えて搗き、のし餅にして６０ｃｍ×６０ｃｍ、厚さ１ｃｍの大きさののし餅として一片を６４分の１の大きさの切餅とすると、１個に黒ニンニクの一片が含まれる大きさの黒ニンニク切餅とすることができる。
【手続補正５】
【補正対象書類名】明細書
【補正対象項目名】００１１
【補正方法】変更
【補正の内容】
【００１１】１    黒ニンニク餅（丸餅）                        ２    黒ニンニク餅（棒餅）                        ３    黒ニンニク餅（くりみ入り切餅）                        ４    くるみ
【手続補正６】
【補正対象書類名】図面
【補正対象項目名】図２
【補正方法】変更
【補正の内容】
【図２】
0003228395.tif 000005
(57)【要約】      （修正有）【課題】腕時計・懐中時計を含む携帯時計を見栄え良く陳列・収納することができる携帯時計スタンドを提供する。【解決手段】腕時計又は懐中時計を含む携帯時計をのせたり、立てたりするための台である携帯時計スタンド１であって、手前側の辺が奥側方向に傾斜し、上辺及び下辺が平行な台形板状を成す左右側面部２、４と、左右側面部の間に挟まれ、床面に対し水平に配置される長方形板状の第１時計載置部６と、左右側面部の手前側に形成される傾斜部１０上、かつ、左右両端部が傾斜部の左右両端部と面一になり、かつ、上端部が傾斜部の中央付近に配置される長方形板状の第２時計載置部８と、を有し、左右側面部及び第１時計載置部によって形成される空間１２に携帯時計を載置させ、又は、傾斜部及び第２時計載置部に携帯時計を立て掛けて使用し、左右側面部、第１・第２時計載置部が透明である。【選択図】図１
0003228353.tif 000002
【実用新案登録請求の範囲】
【請求項１】
腕時計又は懐中時計を含む携帯時計をのせたり、立てたりするための台である携帯時計スタンドであって、
手前側の辺が奥側方向に傾斜し、上辺及び下辺が平行な台形板状を成す左側面部及び右側面部と、
前記左側面部及び前記右側面部の間に挟まれ、床面に対し水平に配置される長方形板状の第１時計載置部と、
前記左側面部及び前記右側面部の手前側に形成される傾斜部上、かつ、左右両端部が前記傾斜部の左右両端部と面一になり、かつ、上端部が前記傾斜部の中央付近に配置される長方形板状の第２時計載置部と、を有し、
前記左側面部、前記右側面部及び前記第１時計載置部によって形成される空間に前記携帯時計を載置させ、又は、前記傾斜部及び前記第２時計載置部に前記携帯時計を立て掛けて使用し、前記左側面部、前記右側面部、前記第１時計載置部及び前記第２時計載置部が透明であることを特徴とする携帯時計スタンド。
【考案の詳細な説明】
【技術分野】
【０００１】
腕時計、懐中時計を含む携帯時計をのせたり、立てたりするための台の技術に関する。
【背景技術】
【０００２】
店頭において腕時計、懐中時計を含む携帯時計を陳列する場合、客に対し見栄え良く商品を並べたいというニーズがある。また、自宅であっても携帯時計を収納する場合、インテリアとして見栄え良く並べたいというニーズもあるだろう。
【考案の概要】
【考案が解決しようとする課題】
【０００３】
上記のようなニーズを背景に、本考案は、腕時計・懐中時計を含む携帯時計を見栄え良く陳列・収納するための携帯時計スタンドを提供することを台目的とする。
【課題を解決するための手段】
【０００４】
開示する携帯時計スタンドの一形態は、腕時計又は懐中時計を含む携帯時計をのせたり、立てたりするための台である携帯時計スタンドであって、手前側の辺が奥側方向に傾斜し、上辺及び下辺が平行な台形板状を成す左側面部及び右側面部と、前記左側面部及び前記右側面部の間に挟まれ、床面に対し水平に配置される長方形板状の第１時計載置部と、前記左側面部及び前記右側面部の手前側に形成される傾斜部上、かつ、左右両端部が前記傾斜部の左右両端部と面一になり、かつ、上端部が前記傾斜部の中央付近に配置される長方形板状の第２時計載置部と、を有し、前記左側面部、前記右側面部及び前記第１時計載置部によって形成される空間に前記携帯時計を載置させ、又は、前記傾斜部及び前記第２時計載置部に前記携帯時計を立て掛けて使用し、前記左側面部、前記右側面部、前記第１時計載置部及び前記第２時計載置部が透明であることを特徴とする。
【考案の効果】
【０００５】
開示する携帯時計スタンドは、腕時計・懐中時計を含む携帯時計を見栄え良く陳列・収納することができる。
【図面の簡単な説明】
【０００６】
【図１】本実施の形態に係る携帯時計の斜視図である。
【図２】本実施の形態に係る携帯時計の正面図である。
【図３】本実施の形態に係る携帯時計の背面図である。
【図４】本実施の形態に係る携帯時計の平面図である。
【図５】本実施の形態に係る携帯時計の底面図である。
【図６】本実施の形態に係る携帯時計の右側面図である。
【図７】本実施の形態に係る携帯時計の使用状態を示す参考斜視図である。
【図８】本実施の形態に係る携帯時計の透明部を示す参考斜視図である。
【考案を実施するための形態】
【０００７】
図面を参照しながら、本考案を実施するための形態について説明する。
（本実施の形態に係る携帯時計スタンドの構造）
図１乃至８を用いて、本実施の形態に係る携帯時計スタンド（以下、単に「本物品」という。）１の構造について説明する。
【０００８】
本物品１は、腕時計又は懐中時計を含む携帯時計１４をのせたり、立てたりするための携帯時計用の台である。図１乃至８で示すように、本物品１は、左側面部２、右側面部４、第１時計載置部６、第２時計載置部８を有する。
【０００９】
左側面部２、右側面部４は同一形状であり、左側面部２は手前側から見て相対的に左側に配置され、右側面部４は相対的に右側に配置される。左側面部２（右側面部４）は、手前側の辺１０が奥側方向に傾斜し、上辺及び下辺が平行な台形板状を成す。左側面部２（右側面部４）の下辺は、床面に接するように配置される。左側面部２（右側面部４）は、透明な部材（例えば、アクリル板）を材料とすることが好適である。
【００１０】
第１時計載置部６は、左側面部２及び右側面部４の間に挟まれ、床面に対し水平に配置される長方形板状を成す。第１時計載置部６は、透明な部材（例えば、アクリル板）を材料とすることが好適である。
【００１１】
第２時計載置部８は、左側面部２及び右側面部６の手前側に形成される傾斜部１０上、かつ、左右両端部が傾斜部１０の左右両端部と面一になり、かつ、上端部が傾斜部１０の中央付近に配置される長方形板状を成す。第２時計載置部８は、透明な部材（例えば、アクリル板）を材料とすることが好適である。
（本実施の形態に係る携帯時計スタンドの使用方法）
【００１２】
図７で示すように、本物品１は、左側面部２、右側面部４及び第１時計載置部６によって形成される空間１２に携帯時計１４を載置させて使用する。また、本物品１は、傾斜部１０及び第２時計載置部８に携帯時計１４を立て掛けて使用する。
上記のような構造及び使用方法に基づいて、本物品１は、腕時計・懐中時計を含む携帯時計１４を見栄え良く陳列・収納することができる。
【００１３】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００１４】
１    携帯時計スタンド
２    左側面部
４    右側面部
６    第１時計載置部
８    第２時計載置部
１０  傾斜部
１２  左側面部２、右側面部４及び第１時計載置部６によって形成される空間
１４  携帯時計（腕時計・懐中時計）
【図１】
0003228353.tif 000003
【図２】
0003228353.tif 000004
【図３】
0003228353.tif 000005
【図４】
0003228353.tif 000006
【図５】
0003228353.tif 000007
【図６】
0003228353.tif 000008
【図７】
0003228353.tif 000009
【図８】
0003228353.tif 000010
(57)【要約】      （修正有）【課題】タオルを身体と一体的な状態に保持することができる落下防止機能付きタオルを提供する。【解決手段】タオル生地１の長手方向の両端２、３に、互いに係合する留め具からなる落下防止具４を有する。【選択図】図１
0003228359.tif 000002
【実用新案登録請求の範囲】
【請求項１】
タオル生地の長手方向の両端に、互いに係合する留め具からなる落下防止具を有することを特徴とする落下防止機能付きタオル。
【請求項２】
落下防止具がファスナーからなることを特徴とする請求項１に記載の落下防止機能付きタオル。
【請求項３】
タオル生地が、パイル生地、多重ガーゼ織物の何れかであることを特徴とする請求項１または２に記載のタオル。
【考案の詳細な説明】
【技術分野】
【０００１】
本考案は、身体、特に首回りに掛けた状態で落下を防止する機能を有するタオルに関する。
【背景技術】
【０００２】
従来、落下を防止する機能を有するタオル類には、例えば特許文献１に記載するタオルケットがある。これは、使用者の肩、胸部上部、手先などを覆って、布のずり落ちを防止するものであり、布地の一辺近傍に、使用者の平均首回り寸法より大きい径の円に相当する面積の穴部を有しており、布地は長方形に近似される形状で、穴部は一方の短辺近傍に形成されている。
【０００３】
また、特許文献２に記載する髪束ね用タオルは、手拭タオルの１隅に差込穴を設け、差込部を差込穴に通すことでタオルを頭にフィットさせるものであり、頭にタオルを被せた後にタオルの両端を後頭部付近で結ぶ場合の煩わしさを解消している。
【先行技術文献】
【特許文献】
【０００４】
【特許文献１】実用新案登録第３０１８００６０号
【特許文献２】特開２０１４−４２７９２
【考案の概要】
【考案が解決しようとする課題】
【０００５】
ところで、労働、スポーツ等の身体を活発に動かす場合に、汗を拭うタオル、特に首に掛けたタオルを身体と一体的な状態に保持することは困難であり、ウェストポーチ等に収納して携帯し、使用時に取り出して汗を拭うことが一般的である。
【０００６】
本考案は上記した課題を解決するものであり、タオルを身体と一体的な状態に保持することができる落下防止機能付きタオルを提供することを目的とする。
【課題を解決するための手段】
【０００７】
上記課題を解決するために、本考案に係る落下防止機能付きタオルは、タオル生地の長手方向の両端に、互いに係合する留め具からなる落下防止具を有することを特徴とする。
【０００８】
また、本考案に係る落下防止機能付きタオルにおいて、落下防止具がファスナーからなることを特徴とする。
【０００９】
また、本考案に係る落下防止機能付きタオルにおいて、タオル生地が、パイル生地、多重ガーゼ織物の何れかであることを特徴とする。
【図面の簡単な説明】
【００１０】
【図１】本考案の実施の形態における落下防止機能付きタオルを示す斜視図
【図２】同実施の形態における落下防止機能付きタオルの装着手順を示す模式図
【図３】同実施の形態における落下防止機能付きタオルの使用状態を示す模式図
【図４】本考案の他の実施の形態における落下防止機能付きタオルの使用状態を示す模式図
【考案を実施するための形態】
【００１１】
以下、本考案の実施の形態を図面に基づいて説明する。図１に示すように、本考案に係る落下防止機能付きタオル１は、長手方向の両端２、３に、互いに係合する留め具からなる落下防止具４を有している。ここでは、落下防止具４がファスナーからなる。
【００１２】
タオル１のタオル生地は、基本的なパイル生地であるが、多重ガーゼ織物も採用できる。この場合に多重ガーゼ織物として、複数の織組織を積層してなる織布に、酸化チタン、ハイドロキシアパタイト、銀の混合物質からなる加工剤が塗布したものを使用することも可能である。
【００１３】
図２、図３に示すように、タオル１は、家事、労働、スポーツ等の身体を活発に動かす場合には首に回して使用する。この際に、タオル１の両端を落下防止具４のファスナーで相互に係合させてつなげる。
【００１４】
このように、タオル１の両端をつなぐことで、ランニング等において身体の動きに伴ってタオル１に振動等が作用しても、タオル１が身体からずれ落ちることはなく、タオル１
を身体と一体的な状態に保持することができる。
【００１５】
図４に示すように、タオル１をタオルハンガー５にセットとし、タオル１の両端を落下防止具４のファスナーで相互に係合させてつなげることで、タオル１の脱落を防止することも可能である。
【００１６】
タオル１のタオル生地として、多重ガーゼ織物に、酸化チタン、ハイドロキシアパタイト、銀の混合物質からなる加工剤を塗布したものを使用することも可能である。
【００１７】
この場合には、加工剤が花粉、ハウスダスト、カビ等のタンパク質や、汗、ニオイ、不衛生タンパク質を分解して水に変えることで、タオル１を衛生的に保つことができる。
【符号の説明】
【００１８】
１    タオル
２、３  長手方向の両端
４    落下防止具
５    タオルハンガー
【図１】
0003228359.tif 000003
【図２】
0003228359.tif 000004
【図３】
0003228359.tif 000005
【図４】
0003228359.tif 000006
(57)【要約】      （修正有）【課題】椅子の転倒をしっかり防ぐことができ、構造が簡単で低コストな椅子用脚を提供する。【解決手段】椅子２０の本体２１に取り付ける一対の脚１０であって、椅子２０の本体２１を支持する支持部１１と、支持部１１の一端に形成され、地面に接触する脚部１２とを備え、支持部１１は椅子２０の本体２１に固接されるよう椅子２０の本体２１に取り付けられ、脚部１２が支持部１１に垂直するよう脚１０が略Ｌ字状に形成されている。【選択図】図１
0003228364.tif 000002
【実用新案登録請求の範囲】
【請求項１】
椅子の本体に取り付ける一対の脚であって、
椅子の本体を支持する支持部と、当該支持部の一端に形成され、地面に接触する脚部とを備え、
前記支持部は椅子の本体に固接されるよう当該椅子の本体に取り付けられ、
前記脚部が前記支持部に垂直するよう前記脚が略Ｌ字状に形成されていることを特徴とする椅子用脚。
【請求項２】
前記支持部に当該支持部を椅子の本体に取り付けるための複数の取り付け部材が通す複数の貫通孔が設けられていることを特徴とする請求項１に記載の椅子用脚。
【請求項３】
前記支持部と前記脚部は一体に形成されていることを特徴とする請求項１または２に記載の椅子用脚。
【考案の詳細な説明】
【技術分野】
【０００１】
本実用新案は椅子用脚に関するものであり、具体的には椅子の転倒を防ぐことができ、構造が簡単である椅子用脚に関するものである。
【０００２】
従来、例えば、特許文献１のような椅子が知られている。当該椅子は、ベース部を有した台部および台部に支持されて起立する背部を備えた支持体と、台部上に支持された座部と、背部に支持された背もたれ部とを備え、当該背もたれ部は、前記背部に支持されて水平方向に延び座者の後傾時の荷重を受ける支持軸と、当該支持軸に回転可能に取り付けられた背もたれ板とを備えている。
【先行技術文献】
【特許文献】
【０００３】
【特許文献１】実開昭６１−１５６９５２号公報
【考案の概要】
【０００４】
しかしながら、特許文献１の椅子における脚の構造が複雑で、椅子の座部への取り付けが面倒であるとともに、脚の左右部分１２がフレーム１３で一体に連結されていることから、脚の体積が大きく、椅子購入者へ椅子を発送する際、脚が椅子本体から外れても、コンパクトにすることができず、椅子の運送コストが高くなるといった問題点がある。
【０００５】
上記にかかる問題に鑑みなされ、本実用新案は、椅子の転倒をしっかり防ぐことができ、構造が簡単で低コストな椅子用脚を提供することを目的としている。
【課題を解決するための手段】
【０００６】
本実用新案にかかる椅子用脚は、椅子の本体に取り付ける一対の脚であって、椅子の本体を支持する支持部と、当該支持部の一端に形成され、地面に接触する脚部とを備え、前記支持部は椅子の本体に固接されるよう当該椅子の本体に取り付けられ、前記脚部が前記支持部に垂直するよう前記脚が略Ｌ字状に形成されている。
【０００７】
また、好ましいのは、前記支持部に当該支持部を椅子の本体に取り付けるための複数の取り付け部材が通す複数の貫通孔が設けられている。
【０００８】
さらに、より好ましいのは、前記支持部と前記脚部は一体に形成されている。
【考案の効果】
【０００９】
本実用新案にかかる椅子用脚によれば、構造が簡単でコストが低く、椅子の転倒をしっかり防ぐことができる。
【図面の簡単な説明】
【００１０】
【図１】本実施形態の椅子用脚を示す正面図である。
【図２】本実施形態の椅子用脚を示す平面図である。
【図３】本実施形態の椅子用脚を示す側面図である。
【考案を実施するための形態】
【００１１】
以下、本実用新案の椅子用脚をソファーの脚に応用した実施形態を図１〜図３に従って説明する。
【００１２】
図１は本実施形態の椅子用脚を示す正面図である。
本実施形態の椅子用脚１０は、図１に示すように、椅子２０の本体２１に取り付ける一対の脚であって、椅子２０の本体２１を支持する支持部１１と、当該支持部１１の一端に形成され、地面に接触する脚部１２とを備え、前記支持部１１は椅子２０の本体２１に固接されるよう椅子２０の本体２１に取り付けられている。
【００１３】
また、前記脚１０は前記脚部１２が前記支持部１１に垂直するよう略Ｌ字状に形成されている。本実施形態では、前記脚１０はスチールパイプでリング状に折り曲げて形成され、前記支持部１１と前記脚部１２は一体に形成されている。前記脚部１２は、図２で示すように、前記支持部１１より図２で示す上下方向において幅広く形成されている。
【００１４】
また、図３に示すように、前記支持部１１に当該支持部１１を椅子２０の本体２１に取り付けるための複数の取り付け部材としてのボルト（図示せず）が通す複数の貫通孔１３が設けられている。本実施形態では、４つの貫通孔１３は一対の脚１０の前記支持部１１にそれぞれ設けられている。
【００１５】
そして、一対の前記脚１０はそれぞれ４つの前記貫通孔１３を通す４つのボルトで椅子２０の本体２１に固接されるよう椅子２０の本体２１に取り付けられることによって椅子を支持するようになる。
【００１６】
そして、本実施形態の椅子用脚によれば、構造が簡単でコストが低く、椅子の転倒をしっかり防ぐことができる。
【００１７】
また、構造が簡単のため、一対の脚の製造が容易であるとともに、お客様が自宅で組み立てる場合の構成部材の郵送も容易である。
【００１８】
一方、本実施形態では、次のように変更してもよい。
本実施形態では、前記脚１０はスチールパイプでリング状に折り曲げて形成されているが、これに限定せず、例えば、前記脚１０はアルミ合金、木などで形成されてもよい。
【００１９】
また、本実施形態では、前記支持部１１と前記脚部１２は一体に形成されているが、図３に示すように、前記１対の脚１０は、それぞれ半分ずつ形成してから溶接部１３のところ、一体となるよう熔接してもよい。
【００２０】
さらに、本実施形態では、４つの貫通孔１３は一対の脚１０の前記支持部１１にそれぞれ設けられているが、これに限定せず、例えば、３つまたは５つ以上の貫通孔１３は一対の脚１０の前記支持部１１にそれぞれ設けられてもよい。
【００２１】
なお、本実施形態では、本実用新案をソファーに応用したが、その他の椅子に応用してもよい。
【００２２】
上記のような別例に変更しても本実施形態の効果を得ることができる。
【符号の説明】
【００２３】
１０    椅子用脚
１１    支持部
１２    脚部
１３    貫通孔
２０    椅子
２１    本体
【図１】
0003228364.tif 000003
【図２】
0003228364.tif 000004
【図３】
0003228364.tif 000005
(57)【要約】      （修正有）【課題】ランプシェードの保持用や配線用の穴が開いていないランプシェードを使うことができるランプシェード用ホルダーを提供する。【解決手段】ランプシェード用ホルダーは、湾曲したアーム１に接続された中空円筒３に差し入れられている調整棒４に密着しているストッパー７を緩めて二つのランプシェード固定板２及び５の間隔を広げ、ランプシェード１０の頂上部分をランプシェード１０の外側と内側から挟んでストッパー７で固定できると共に、アーム１に沿って設置されランプシェードの開口部から配線された２芯ケーブル９により、ランプシェード１０の内側の中心部に位置調整される電球８に給電することができる。これによりランプシェードの保持や配線用の穴が開いていないランプシェードのホルダーを実現できる。【選択図】図２
0003228305.tif 000002
【実用新案登録請求の範囲】
【請求項１】
片方の第一の端点と他方の第二の端点をもつ湾曲したアームと、該第一の端点と該第二の端点を結ぶ線に垂直になるように該第一の端点に接続された第一のランプシェード固定板と、中空の中心線が該第一のランプシェード固定板に垂直になるように該第二の端点に接続された中空の円筒と、該中空の円筒の中を摩擦なく自由に移動可能な直線状の調整棒と、該第一の端点側に向き合う、該調整棒の端点に該第一のランプシェード固定板と並行になるように接続された第二のランプシェード固定板と、該中空の円筒と該第二のランプシェード固定板の間に、該調整棒が該第二のランプシェード固定板から該中空の円筒の方向に移動しないように該調整棒に密着するストッパーと、該第二のランプシェード固定板と該ストッパーの間で該調整棒に接続された電球ソケットと、該電球ソケットに装填された電球と、電球ソケットから該調整棒に沿って該第二の端点に到達した後、該湾曲したアームに沿って該第一の端点に到達して配線される２芯ケーブルとから構成されるランプシェードホルダー。
【考案の詳細な説明】
【技術分野】
【０００１】  本考案は、ランプシェード保持や配線用の穴が開いていないランプシェードのホルダーに関するものである。
【背景技術】
【０００２】  従来、ガラスや陶器等の硬質で慎重な扱いが必要な素材のランプシェードの場合、製造の最終工程でランプへの配線やランプ保持のための穴を開ける必要があった。
【考案の概要】
【考案が解決しようとする課題】
【０００３】  配線用やランプシェード保持用の穴開けは、ランプシェードの素材が割れないようにするために、熟練工が手順を踏んで工作する必要があり、時間と製作費用を増加させるという課題があった。また、既に手元にあるガラスや陶器のグラスや鉢などの食器でランプシェードとして転用できそうなものがあっても、非常に高価なために配線用の穴が開けることが難しいという課題や、穴を開けることができた場合に、元の食器として使うことができないという課題があった。
【課題を解決するための手段】
【０００４】  本考案は、湾曲したアームの片方の端点に取り付けた第一のランプシェード固定板と、湾曲したアームの他方の端点に取り付けた、第一のランプシェード固定板と並行を保ったまま間隔を自由に調整してロック可能な第二のランプシェード固定板及び電球ソケットをもつ機構を持たせて、第一、第二の二つのランプシェード固定板の間で挟んでランプシェードを保持すると共に、アーム１に沿って設置されランプシェードの開口部から配線された２芯ケーブルにより、ランプシェードの内側の中心部に位置調整される電球に給電することができるため、ランプシェード保持用や配線用の穴が開いていないランプシェードでも使用可能となり、問題点を解決している。
【考案の効果】
【０００５】  上述の手段により、本考案のランプシェード用ホルダーは、ランプシェードへの穴開け工程を無くすことができる効果を生む。さらに既にユーザーの手元にあるガラスや陶器のグラス・鉢などの食器を、その底を上にしてそのままでランプシェードとして使用でき、また使用後も再度、通常の食器として使えるため、ユーザーの好みに合わせて、追加費用無しで自由にランプシェードへの転用ができるようになる効果を生む。
【図面の簡単な説明】
【０００６】
【図１】本考案のランプシェード用ホルダーの実施例を示す立体図である。
【図２】ランプシェードを装着した実施例を示す立体図である。
【考案を実施するための形態】
【０００７】  湾曲したアーム内に接続された中空円筒に差し入れられている直線状の調整棒に密着しているストッパーを緩めて二つのランプシェード固定板の間隔を広げ、ランプシェードの頂上部分を二つのランプシェード固定板でランプシェードの外側と内側から挟んでストッパーで固定することにより、湾曲したアームに沿ってランプシェード開口部から配線された電球が、ランプシェード内の中心部に位置する形でランプシェードを保持することができる。これによりランプシェード保持用や配線用の穴が開いていないランプシェード用のランプシェードホルダーを実現する。
【実施例】
【０００８】  以下、添付図面に従って一実施例を説明する。図１において、１はアーム、２は第一のランプシェード固定板、３は中空円筒であり、該２及び該３の部品は該１の部品に接続され、該１、該２、該３の部品は一体化されている。４は調整棒、５は第二のランプシェード固定板、６は電球ソケットであり、該５及び該６の部品は該４の部品に接続され、該４、該５、該６の部品は一体化されている。調整棒４が中空円筒３に差し込まれており、かつ摩擦なく自由に移動できるため、第一のランプシェード固定板２と第二のランプシェード固定板５の間の間隔を自由に調整可能であり、調整棒４と一体化された電球ソケット６の位置も同時に第二のランプシェード固定板の近傍に調整される。【０００９】  ７はストッパーであり、調整棒４に密着して第一のランプシェード固定板２と第二のランプシェード固定板５の間の間隔が広がらないようにロックする。８は電球であり、電球ソケット６に装着する。９は２芯ケーブルであり、外部から、アーム１に沿って設置して電球ソケット６に配線され、電球８に給電する。【００１０】  ストッパー７の具体的な第一の実施例としては、調整棒に密着する硬質ゴムの中空円筒をストッパー７とするものである。第二の実施例としては、調整棒４に雄ネジのネジ加工を施し、同じネジピッチの雌ネジ加工を施したナットをストッパー７とするものである。【００１１】  本考案の一実施例は上述の如き構成からなるものであるから、図２に示すように、調整棒４の位置を調整して、ランプシェード１０を第一のランプシェード固定板２と第二のランプシェード固定板５の間で挟みストッパー７でロックすることにより、配線を通す穴が開いていないランプシェード１０を保持して電球を点灯可能なランプシェード用ホルダーを実現することができる。
【符号の説明】
【００１２】  １  アーム
２  第一のランプシェード固定板
３  中空円筒
４  調整棒
５  第二のランプシェード固定板
６  電球ソケット
７  ストッパー
８  電球
９  ２芯ケーブル
１０  ランプシェード
【図１】
0003228305.tif 000003
【図２】
0003228305.tif 000004
(57)【要約】      （修正有）【課題】顧客に冷酒を提供できる小規模居酒屋での導入、運用に際しての経済的な負担を軽くできる小型の冷酒自動供給機を提供する。【解決手段】高価な冷却機器を採用せずに、冷酒自動供給機の貯蔵タンク３として、保温能力の高い魔法瓶を利用し、魔法瓶の注水コックを、自動注水対応貯蔵タンクアダプター４に交換しただけで、４時間から５時間は、低消費電力での冷酒提供を可能とした。シンプルな構造のため貯蔵タンクの取り外しも容易となり、清掃が簡易にでき、衛生面が確保され、風味を保った冷酒が提供できる。【選択図】図１
0003228301.tif 000002
【実用新案登録請求の範囲】
【請求項１】
冷酒供給温度確保のため貯蔵タンクとして、魔法瓶を採用し、魔法瓶の注水コックを自動注水対応貯蔵タンクアダプターに交換することにより、冷酒を提供できることを特徴とする冷酒自動供給機。
【考案の詳細な説明】
【技術分野】
【０００１】  本考案は冷却機器を搭載せずに冷酒を提供するために、貯蔵タンクとして魔法瓶を採用した。魔法瓶の注水コックは、自動供給するための機構構築が複雑となり、かつ故障発生の確立が高くなると想定されるため、注水コックを自動注水対応貯蔵タンクアダプターに交換することにより、魔法瓶から冷酒は開放状態となり、コインを入れることで自動での冷酒の提供が可能となった。また、貯蔵タンクは取り外すことも容易であり、あらかじめ貯蔵タンクにお酒を入れ大型冷蔵庫で冷却して使用できるため、低消費電力で運用出来る冷酒自動供給機である。
【背景技術】
【０００２】  冷酒提供にあたり、氷水を蓄えた冷却容器内に設置されたスパイラルコイル管内にお酒を循環させての冷酒提供や、冷却機を使用しての冷酒提供構成が一般的である。
【先行技術文献】
【特許文献】
【０００３】
【特許文献１】特開２０００−１７５８１３号  公報
【特許文献２】登録実用新案第３１９６８１６号  公報
【考案の概要】
【考案が解決しようとする課題】
【０００４】  本考案の課題は、安価な冷酒を提供するため、小規模居酒屋での導入、運用に際しての経済的な負担の低減、かつ小型化した冷酒自動供給機を提供することにある。
【課題を解決するための手段】
【０００５】  課題を解決するため、冷酒自動供給機内に冷却機器を搭載せず、保温機能を確保できる、断熱材入り構造や真空構造の魔法瓶を貯蔵タンクとして活用したことにある。
【考案の効果】
【０００６】  お酒を入れた貯蔵タンクの冷却は、店舗の大型冷蔵庫を使用することで、冷酒自動供給機の運用の省電力化が図れ、かつ小型化ができ、狭いスペースでの利用が可能となる。【０００７】  冷酒自動供給機の機構が簡素化され、貯蔵タンクは取り外すことも容易なため、清掃が簡易となり、衛生面が確保され、風味を保った冷酒が提供できる。【０００８】  貯蔵タンクの交換が簡単なため、他種飲料の提供も可能となる。
【図面の簡単な説明】
【０００９】
【図１】本考案の冷酒自動供給機の一実施例を示す構成図である。
【考案を実施するための形態】
【００１０】  店舗では冷酒自動供給機に冷酒の入った貯蔵タンクをセットする。自動で冷酒を提供するため、冷酒自動供給機制御部で冷酒供給量、コイン数の設定後電源を投入し冷酒供給の準備を終える。顧客は設定されたコイン数を投入することで、貯蔵タンク内の冷酒が設定供給量に応じてコップに注がれ味わうことができる。
【実施例】
【００１１】  以下、添付図面に従って一実施例を説明する。冷酒自動供給機本体１１は各機器を収容し、内部へのいたずらを防止と衛生面確保のため、本体扉鍵１２を設けている。貯蔵タンク３に貯蔵された冷酒を冷酒自動供給機本体１１にセットし、自動注水対応貯蔵タンクアダプター４に接続されたワンタッチ継手５を接続する。ワンタッチ継手５は貯蔵タンク３との接続時に開くことで、冷酒供給の準備ができる。冷酒自動供給機制御部９の操作面にて、冷酒供給量設定、冷酒コイン数設定後に電源を入れる。冷酒自動供給機使用可能表示ＬＥＤ２は点滅し、供給準備が終えると点灯となる。コイン投入機１はコインの投入禁止が解除され、顧客への冷酒提供が可能となる。【００１２】  顧客がコイン投入機１に設定されたコイン数を投入すると、冷酒自動供給機制御部９が認識し、流量開閉電磁弁７を開放、断熱材で覆ったシリコンホース１０を経由し冷酒供給口８よりコップに冷酒の供給を開始する。供給酒量測定器６よりの冷酒供給量を冷酒自動供給機制御部９は監視し、供給量設定値に達した時点で流量開閉電磁弁７を閉じ冷酒の提供を止める。顧客はコップに供給された冷酒をたしなむ。
【符号の説明】
【００１３】  １  コイン投入機
２  冷酒自動供給機使用可能表示ＬＥＤ
３  貯蔵タンク
４  自動注水対応貯蔵タンクアダプター
５  ワンタッチ継手
６  供給酒量測定器
７  流量開閉電磁弁
８  冷酒供給口
９  冷酒自動供給機制御部
１０  断熱材で覆ったシリコンホース
１１  冷酒自動供給機本体
１２  本体扉鍵
【図１】
0003228301.tif 000003
(57)【要約】      （修正有）【課題】マスクの着用時に鼻や口にマスクが張り付いて呼吸しづらい状況を緩和したり呼吸によりマスク内に熱がこもることによる不快感を軽減するマスク用鼻・口カバーを提供する。【解決手段】マスク内側の顔面当接面の中央部に掛着して使用される鼻・口カバーであって、鼻〜口の一帯をかまぼこ型ドーム状に覆う格子体と格子体の一端側に設けた掛着部とから成り、鼻・口とマスクとの接触部に非接触スキマ空間を作って呼吸をしやすくし、また呼気の熱をこもりにくくしたことを特徴とする。【選択図】図２
0003228302.tif 000002
【実用新案登録請求の範囲】
【請求項１】
マスクの顔面当接部中央域に装着して、鼻〜口とマスクとの間に非接触空間をつくるのであるが、鼻〜口一帯をかまぼこ型ドーム状に覆う格子体と格子体の一端に設けた掛着部からなることを特徴とするマスク用鼻・口カバー。
【考案の詳細な説明】
【技術分野】
【０００１】本考案は、マスク内側で使用するフック付き鼻・口カバーに関するものである。
【背景技術】
【０００２】マスクを着用する際鼻に吸い着き呼吸がしづらく、呼気の熱がこもるのでとても暑苦しく感じる。
【考案の概要】
【考案が解決しようとする課題】
【０００３】  マスクでの息苦しさは、鼻と口にマスクが吸い着くことで起こる。また、呼気の熱がこもることで、暑くなり体温の上昇を招く。そこで、マスクと顔面の間にスペースをつくることで、前述の欠点を解決しようとするものである。
【課題を解決するための手段】
【０００４】  マスク内側即ち顔面当接面の中央部に掛着して使用されるものであって、鼻〜口の一帯をかまぼこ型ドーム状に覆う格子体と格子体の一端側に設けた掛着部とで成り、鼻・口とマスクとの接触部に非接触スキマ空間を作って呼吸をしやすくし、また呼気の熱をこもりにくくする。
以上を特徴とするマスク用鼻・口カバーである。
【考案の効果】
【０００５】  マスクをかけた時、鼻・口が直接マスクと接触しないスペースができるので、息苦しさも暑苦しさも軽減できる。
【図面の簡単な説明】
【０００６】
【図１】  本考案の斜視図
【図２】  本考案をマスクに取り付けた状態を装着者側から見た略正面図
【考案を実施するための形態】
【０００７】マスク（３）内側即ち顔面当接面の中央部に掛着して使用されるものであって、鼻〜口の一帯をかまぼこ型ドーム状に覆う格子体（１）と格子体（１）の一端側に設けた掛着部（２）とで成り、鼻・口とマスク（３）との接触部に非接触スキマ空間を作って呼吸をしやすくし、また呼気の熱をこもりにくくする。以下、図面に従って使い方を説明する。
図１に示された本考案の掛着部（２）を、マスク（３）内側に掛け留める。そのまま普通にマスク（３）掛けすれば、格子体（１）が自ずと鼻〜口一帯に被さり、鼻・口とマスク（３）の間にスキ間が生まれ息苦しさも暑苦しさも大幅に軽減される。
【符号の説明】
【０００８】  １    格子体
２    掛着部
３    マスク
【図１】
0003228302.tif 000003
【図２】
0003228302.tif 000004